(57)【特許請求の範囲】
【請求項１】
底部と底部にヒンジ連結された側壁とからなる折り畳みコンテナーにおいて、折り畳まれた状態から箱型に組み立てる際に、先に立てられる側壁に配設された弾性係止舌片に、略中央領域に凹部を有する水平凸条部を形成したことを特徴とする折り畳みコンテナー。
【請求項２】
底部と底部にヒンジ連結された側壁とからなる折り畳みコンテナーにおいて、弾性係止舌片の周囲に形成されたスリット部の水平スリットの端部付近に、水平部と垂直部とからなる略Ｌ字状の補強凸条部を形成したことを特徴とする折り畳みコンテナー。
【請求項３】
底部と底部にヒンジ連結された側壁とからなる折り畳みコンテナーにおいて、折り畳まれた状態から箱型に組み立てる際に、先に立てられる側壁に配設された弾性係止舌片に、略中央領域に凹部を有する水平凸条部を形成するとともに、前記弾性係止舌片の周囲に形成されたスリット部の水平スリットの端部付近に、水平部と垂直部とからなる略Ｌ字状の補強凸条部を形成したことを特徴とする折り畳みコンテナー。
【請求項４】
水平凸条部或いは水平部と垂直部とからなる略Ｌ字状の補強凸条部の水平部に沿って、補助補強凸条部を形成したことを特徴とする請求項１〜請求項３のいずれか１項に記載の折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
先ず最初に、図５〜図９を用いて、一例としての従来の折り畳みコンテナーについて説明する。
【０００３】
平面形状が略長方形の底部１は、その相対する長辺側に形成された高さの低い土手部１ａと、相対する短辺側に形成された高さの高い土手部１ｂとを有するとともに、高さの低い土手部１ａに、長側壁２がヒンジ連結され、また、高さの高い土手部１ｂに、短側壁３がヒンジ連結されている。また、底部１の高さの高い土手部１ｂの両端部からは、高さの低い土手部１ａ方向に延在する角部補強ブロック１ｃが形成されている。更に、底部１の高さの低い土手部１ａの上面１ａ１の中央部には、必要に応じて、正面形状（高さの低い土手部１ａ側から見た形状）が略方形状の補強ブロック１ｄが突設されており、この補強ブロック１ｄの上面は、底部１の高さの高い土手部１ｂの上面と同じ高さに形成されている。
【０００４】
上述したように、底部１の高さの高い土手部１ｂの両端部からは、高さの低い土手部１ａ方向に延在する角部補強ブロック１ｃが形成されているので、長側壁２の下部角部には、折り畳みコンテナーを箱型に組みたてた際に、角部補強ブロック１ｃが入り込む切り欠き凹部２ａが形成されているとともに、底部１の高さの低い土手部１ａの上面１ａ１には、補強ブロック１ｄが突設されているので、長側壁２の下部中央部には、折り畳みコンテナーを箱型に組みたてた際に、補強ブロック１ｄが入り込む切り欠き凹部２ｂが形成されている。
【０００５】
図５に示されているように、箱型に組み立てられた折り畳みコンテナーを折り畳むには、先ず最初に、底部１の高さの低い土手部１ａにヒンジ連結された長側壁２を、底部１方向に倒して、図６に示されているように、底部１の上に重ね、次いで、底部１の高さの高い土手部１ｂにヒンジ連結された短側壁３を、底部１方向に倒して、底部１に重ねられた長側壁２の上に重ねることにより、図７に示されているように、高さの低いコンパクトな状態に折り畳むことができるように構成されている。また、折り畳まれた状態から、後から倒された短側壁３を、略垂直に立て、次いで、先に倒された長側壁２を略垂直に立てることにより、箱型に組み立てることができるように構成されている。
【０００６】
４は、短側壁３の両端部から、短側壁３の内面３ａに対して直角方向に延在する短側壁側係合枠であり、短側壁側係合枠４には、適当数の嵌合孔４ａが穿設されている。なお、本実施例においては、３個の嵌合孔４ａが穿設されている。５は、短側壁側係合枠４付近の短側壁３に形成された弾性係止舌片であり、弾性係止舌片５の先端部には、短側壁３の内面３ａを越えて内側に突出した突出部５ａが形成されている。短側壁３に形成された弾性係止舌片５は、短側壁３に形成された垂直スリット６ａと垂直スリット６ａの上下端から、短側壁３の中央方向に、且つ、水平に延在する水平スリット６ｂとにより構成されるコの字状のスリット部６により形成されている。なお、５ｂは、弾性係止舌片５の外面５ｃ（折り畳みコンテナーを箱型に組みたてた際に、外側に位置する面）の中央部に形成された水平凸条部であり、水平凸条部５ｂは、弾性係止舌片５の根元部５’側の水平スリット６ｂの端部６ｂ１を越えて、短側壁３の中央寄りに延在している。
【０００７】
７は、長側壁２の両端部付近に形成された長側壁側係合枠であり、長側壁側係合枠７には、短側壁側係合枠４に穿設された嵌合孔４ａに挿入可能な嵌合凸部７ａが形成されている。本実施例においては、上記の短側壁側係合枠４に穿設された３個の嵌合孔４ａに対応して、３個の嵌合凸部７ａが形成されている。
【０００８】
図７に示されているように、折り畳みコンテナーが折り畳まれた状態から、図６に示されているように、後から倒された短側壁３を略垂直に立て、次いで、先に倒された長側壁２を略垂直に立てることにより、図５に示されているように、箱型に組み立てることができるように構成されている。折り畳みコンテナーを箱型に組み立てた際には、短側壁３の短側壁側係合枠４に穿設された嵌合孔４ａに、長側壁２の長側壁側係合枠７に形成された嵌合凸部７ａが挿入されるとともに、長側壁２の内面２ｃが、短側壁３の弾性係止舌片５の突出部５ａに当接し、長側壁２が、簡単には、底部１方向に倒れないように構成されている。
【０００９】
また、図５に示されているように、箱型に組み立てられている状態において、短側壁３に形成された弾性係止舌片５を外側に押し出して、弾性係止舌片５の突出部５ａを、長側壁２の内面２ｃから外し、その後、長側壁２を、底部１方向に倒して底部１に重ね、次いで、短側壁３を、底部１方向に倒すことにより、図７に示されているように、高さの低いコンパクトな状態に折り畳むことができるように構成されている。
【００１０】
なお、弾性係止舌片５は、一例として、短側壁３の外面３ｂに形成された適当な相対する水平リブ８ａ、８ｂ及び相対する垂直リブ９ａ、９ｂにより囲まれた領域に形成されている例が示されている。
【００１１】
【発明が解決しようとする課題】
上述した短側壁３に形成された弾性係止舌片５は、折り畳みコンテナーの組み立て作業及び折り畳み作業の際には、弾性係止舌片５の根元部５’を中心に湾曲することになり、弾性係止舌片５の根元部５’が頻繁に屈曲するので、この根元部５’が白化し、弾性係止舌片５の根元部５’の強度が低下したり、弾性を失ったり、弾性係止舌片５が損傷するという問題があった。
【００１２】
本発明の目的は、上述した従来の折り畳みコンテナーが有する課題を解決することにある。
【００１３】
【課題を解決するための手段】
本発明は、上述した目的を達成するために、底部と底部にヒンジ連結された側壁とからなる折り畳みコンテナーにおいて、第１には、折り畳まれた状態から箱型に組み立てる際に、先に立てられる側壁に配設された弾性係止舌片に、略中央領域に凹部を有する水平凸条部を形成したものであり、第２には、弾性係止舌片の周囲に形成されたスリット部の水平スリットの端部付近に、水平部と垂直部とからなる略Ｌ字状の補強凸条部を形成したものであり、第３には、底部と底部にヒンジ連結された側壁とからなる折り畳みコンテナーにおいて、折り畳まれた状態から箱型に組み立てる際に、先に立てられる側壁に配設された弾性係止舌片に、略中央領域に凹部を有する水平凸条部を形成するとともに、前記弾性係止舌片の周囲に形成されたスリット部の水平スリットの端部付近に、水平部と垂直部とからなる略Ｌ字状の補強凸条部を形成したものであり、第４には、水平凸条部或いは水平部と垂直部とからなる略Ｌ字状の補強凸条部の水平部に沿って、補助補強凸条部を形成したものである。
【００１４】
【実施例】
以下に、本発明の実施例について説明するが、本発明の趣旨を越えない限り何ら、本実施例に限定されるものでない。なお、上述した従来の折り畳みコンテナーと同じ構成部材については、同じ符号が使用されており、また、その詳細な説明は省略する。
【００１５】
５０は、上述した短側壁３に形成された弾性係止舌片と同様の弾性係止舌片であり、弾性係止舌片５０の先端部にも、短側壁３の内面３ａを越えて内側に突出した突出部５０ａが形成されている。弾性係止舌片５０も、上述した弾性係止舌片５と同様に、短側壁３に形成された垂直スリット６ａと垂直スリット６ａの上下端から、短側壁３の中央方向に、且つ、水平に延在する水平スリット６ｂとにより構成されるコの字状のスリット部６により形成されている。５０ｂは、弾性係止舌片５０の外面５０ｃ（折り畳みコンテナーを箱型に組みたてた際に、外側に位置する面）の中央部に形成された水平凸条部であり、水平凸条部５０ｂは、弾性係止舌片５０の根元部５０’側の水平スリット６ｂの端部６ｂ１を越えて、短側壁３の中央寄りに延在している。弾性係止舌片５０の根元部５０’と先端部５０”の間に位置する水平凸条部５０ｂの略中央領域には、凹部５０ｂ１が形成されており、弾性係止舌片５０が、水平凸条部５０ｂの略中央領域に形成された凹部５０ｂ１部分で湾曲し易いように構成されている。
【００１６】
上述したように、水平凸条部５０ｂに凹部５０ｂ１を形成し、弾性係止舌片５０が、水平凸条部５０ｂの凹部５０ｂ１部分で湾曲し易いように構成することにより、弾性係止舌片５０の根元部５０’での湾曲を抑制することができ、従って、弾性係止舌片５０の根元部５０’の白化を防止することができ、弾性係止舌片５０の根元部５０’の強度低下を抑制することができる。
【００１７】
１０は、スリット部６の水平スリット６ｂの端部６ｂ１付近で、且つ、短側壁３の外面３ｂに形成された補強凸条部であり、弾性係止舌片５０の根元部５０’を補強する機能を有するものである。補強凸条部１０は、上下方向に位置する一対の水平スリット６ｂの端部６ｂ１付近に沿って延在する水平部１０ａと、水平スリット６ｂの端部６ｂ１に沿って垂直に延在する垂直部１０ｂとからなる、略Ｌ字状に形成されている。スリット部６の水平スリット６ｂの端部６ｂ１付近に、このような補強凸条部１０を形成することにより、弾性係止舌片５０の根元部５０’での湾曲を抑制することができ、弾性係止舌片５０を、水平凸条部５０ｂの略中央領域に形成された凹部５０ｂ１部分でより湾曲し易くすることができ、従って、弾性係止舌片５０の根元部５０’の白化を防止することができ、弾性係止舌片５０の根元部５０’の強度低下を抑制することができ、弾性係止舌片５０の損傷を防止することができる。
【００１８】
図３及び図４に示されている実施例は、スリット部６の水平スリット６ｂの端部６ｂ１付近で、且つ、短側壁３の外面３ｂに形成された補強凸条部１０の水平部１０ａと弾性係止舌片５０の外面５０ｃの中央部に形成された水平凸条部５０ｂとの間に、水平凸条部５０ｂに沿って、水平な補助補強凸条部１１を配設したものである。補助補強凸条部１１の一方の端部は、スリット部６の水平スリット６ｂの端部６ｂ１を越えて、短側壁３の中央方向に延在しているとともに、補助補強凸条部１１のもう一方の端部は、補強凸条部１０の水平部１０ａの端部付近まで延在している。
【００１９】
上述したような補助補強凸条部１１を配設したことにより、弾性係止舌片５０の根元部５０’をより補強することができるので、弾性係止舌片５０の根元部５０’での湾曲をより抑制することができ、弾性係止舌片５０を、水平凸条部５０ｂの略中央領域に形成された凹部５０ｂ１部分で更に湾曲し易くすることができ、従って、弾性係止舌片５０の根元部５０’の白化を、より効果的に防止することができ、弾性係止舌片５０の根元部５０’の強度低下をより抑制することができ、弾性係止舌片５０の損傷を確実に防止することができる。
【００２０】
なお、上述した実施例には、箱型に組み立てられた状態から、先に長側壁を倒し、次いで、短側壁を倒して折り畳むとともに、折り畳まれた状態から、先に短側壁を立て、次いで、長側壁を立てて、箱型に組み立てるようにした折り畳みコンテナーが示されているが、箱型に組み立てられた状態から、先に短側壁を倒し、次いで、長側壁を倒して折り畳むとともに、折り畳まれた状態から、先に長側壁を立て、次いで、短側壁を立てて、箱型に組み立てるようにした折り畳みコンテナーに、上述した弾性係止舌片５０等の構成を適用することができる。いずれにせよ、上述した弾性係止舌片５０等の構成は、箱型に組み立てられた状態から折り畳む際に、後から倒される側壁、換言すれば、折り畳まれた状態から箱型に組み立てる際に、先に立てられる側壁に配設されることになる。
【００２１】
上述した弾性係止舌片５０に、凹部５０ｂ１を有する水平凸条部５０ｂのみを配設することも、或いは、水平部と垂直部とからなる略Ｌ字状の補強凸条部１０のみを配設することも、更には、凹部５０ｂ１を有する水平凸条部５０ｂと補強凸条部１０の両方を配設することもできる。なお更に、水平凸条部５０ｂ或いは水平部と垂直部とからなる略Ｌ字状の補強凸条部１０の水平部１０ａに沿って、補助補強凸条部１１を形成することもできる。
【００２２】
【発明の効果】
本発明は、以上説明した構成を有しているので、以下に記載する効果を奏するものである。
【００２３】
折り畳まれた状態から箱型に組み立てる際に、先に立てられる側壁に配設された弾性係止舌片に水平凸条部を形成するとともに、水平凸条部の略中央領域に凹部を形成したので、弾性係止舌片の根元部の白化を防止することができ、弾性係止舌片の強度低下を抑制することができる。
【００２４】
弾性係止舌片の周囲に形成されたスリット部の水平スリットの端部付近に、水平部と垂直部とからなる略Ｌ字状の補強凸条部を形成したので、弾性係止舌片の根元部の白化を防止することができ、弾性係止舌片の強度低下を抑制することができる。
【００２５】
折り畳まれた状態から箱型に組み立てる際に、先に立てられる側壁に配設された弾性係止舌片に、略中央領域に凹部を有する水平凸条部を形成するとともに、前記弾性係止舌片の周囲に形成されたスリット部の水平スリットの端部付近に、水平部と垂直部とからなる略Ｌ字状の補強凸条部を形成したので、更に、弾性係止舌片の根元部の白化を防止することができ、弾性係止舌片の強度低下を抑制することができる。
【００２６】
水平凸条部或いは水平部と垂直部とからなる略Ｌ字状の補強凸条部の水平部に沿って、補助補強凸条部を形成したので、確実に、弾性係止舌片の根元部の白化を防止することができ、弾性係止舌片の強度低下を抑制することができる。
【図面の簡単な説明】
【図１】図１は本発明の折り畳みコンテナーの部分正面図である。
【図２】図２は本発明の折り畳みコンテナーの部分斜視図である。
【図３】図３は本発明の別の実施例の折り畳みコンテナーの部分正面図である。
【図４】図４は本発明の別の実施例の折り畳みコンテナーの部分斜視図である。
【図５】図５は従来の折り畳みコンテナーが箱型に組み立てられた状態の斜視図である。
【図６】図６は従来の折り畳みコンテナーの折り畳み途中或いは組み立て途中の斜視図である。
【図７】図７は従来の折り畳みコンテナーが折り畳まれた状態の斜視図である。
【図８】図８は従来の折り畳みコンテナーの部分正面図である。
【図９】図９は従来の折り畳みコンテナーの部分斜視図である。
【符号の説明】
１・・・・・・・・・・・・底部
２・・・・・・・・・・・・長側壁
３・・・・・・・・・・・・短側壁
１０・・・・・・・・・・・補強凸条部
１１・・・・・・・・・・・補助補強凸条部
５０・・・・・・・・・・・弾性係止舌片
５０ｂ・・・・・・・・・・水平凸条部
【図１】
0003861025.tif 000002
【図２】
0003861025.tif 000003
【図３】
0003861025.tif 000004
【図４】
0003861025.tif 000005
【図５】
0003861025.tif 000006
【図６】
0003861025.tif 000007
【図７】
0003861025.tif 000008
【図８】
0003861025.tif 000009
【図９】
0003861025.tif 000010